(57)【要約】      （修正有）【課題】蓋支え部材を鍋の蓋立て具本体の脚部か支持部のどちらかに摺動自在の状態で連結できるようにした鍋の蓋立て具を提供する。【解決手段】ステンレス鋼の線材を折り曲げてなる斜めに立てた鍋蓋１の外周下端部を支える立ち上げ部３を有する蓋支え部材２と、脚部６と、蓋摘み７を逃げるように鍋蓋１を支持する２個からなる間隔を有する支持部８を前記蓋支え部材２の立ち上げ部３が無い側に若干傾けて折り曲げ形成した鍋の蓋立て具本体４とから成る。【選択図】図１
0003110483.tif 000002
【実用新案登録請求の範囲】
【請求項１】
ステンレス鋼の線材を折り曲げてなる斜めに立てた鍋蓋の外周下端部を支える立ち上げ部を有する蓋支え部材と、脚部と、蓋摘みを逃げるように鍋蓋を支持する２個からなる間隔を有する支持部を前記蓋支え部材の立ち上げ部が無い側に若干傾けて折り曲げ形成した鍋の蓋立て具本体とから成り、前記蓋支え部材を鍋の蓋立て具本体の脚部か支持部のどちらかに摺動自在の状態で連結できるようにしたことを特徴とする鍋の蓋立て具。
【考案の詳細な説明】
【技術分野】
【０００１】
本考案は、鍋の蓋を安全に、場所を取らずに置け、しかも蓋を容易に取り扱えることができる台所用の鍋の蓋立て具に関するものである。
【背景技術】
【０００２】
お鍋で煮物等をしていると、具を盛った容器を一方の手に持ち、他方の手に箸を持ったり、一方の手に味見用の受け皿を持ち、他方の手に汁を掬い上げるお玉を持つ必要がある。これらの作業では両手が塞がるため、取り上げたお鍋の蓋を手に持ったまま作業をすることができない。そこで、前もってお鍋の蓋を外して調理台等の上に平らに寝かせておき、その間に作業することになる。しかし、ただ蓋を置いておくだけのために広いスペースが必要になる。また通常、蓋の内側が汚れないように蓋摘みを下にして寝かせて置く。そのため、再び蓋を取り上げる際に取り上げ難い。さらに、蓋を置いたり、取り上げる際に蓋の熱い部分に身体が触れ易く、火傷をし易いという問題があった。
これらを解決した、立てた鍋の蓋の下部を２点で支えながら一定の方向に滑らせて誘導する左右対称な２本のレールから成る誘導路を持つ蓋置き台と、上記の誘導路の一方の端に、誘導路が誘導する方向に対して直角に、また垂直方向（０度）に対して０度から約３０度の範囲内の角度（０度を含まない）だけ誘導路が無い側に傾けて固定した平面状あるいは平面に近い曲面状に形成した蓋支えと、上記の誘導路の他の端に、誘導路上を滑る蓋の下部の滑りを止めて固定する第１のストッパを有し、上記の蓋支えには、蓋支えの最上部から、蓋支えの最上部とレールの上部までの中間点より下まで、誘導路と同じ対称面に対して左右対称で約６ｃｍ以上の幅を持つ切れ込みが有り、鍋の蓋の中央にある蓋摘みが切れ込みの間に位置するように蓋を立て掛ける構造である鍋の蓋立て器具（例えば、特許文献１参照）が存在している。
【特許文献１】特開平９−２８５４０２号公報（特許請求の範囲の欄、実施例の欄における段落｛００２０｝〜｛００２７｝、及び図９、図１０を参照）
【考案の開示】
【考案が解決しようとする課題】
【０００３】
しかし、蓋摘みの中には、突起が棒状で引っ掛かりが少ない窪みから外れ易いものがある。このような蓋摘みを持つ蓋は誤って触れただけで簡単に落ちてしまう。それを解決して、どんな形状の蓋摘みを持つ蓋でも確実に立て掛けておくことができ、誤って触れた程度では蓋が器具から落ちることがない立てた鍋の蓋の外径下部を２点で支えながら一定の方向に滑らせて誘導する左右対称な２本のレールから成る誘導路を持つ蓋置き台と、上記の誘導路の一方の端に、誘導路が誘導する方向に対して直角に、また垂直方向（０度）に対して０度から約３０度の範囲内の角度（０度を含まない）だけ誘導路が無い側に傾けて固定した平面状あるいは平面に近い曲面状に形成した略蓋外径全体で支える蓋支えと、上記の誘導路の他の端に、誘導路上を滑る蓋の外径下部の滑りを止めて固定する第１のストッパを有し、上記の蓋支えには、蓋支えの最上部から、蓋支えの最上部とレールの上部までの中間点より下まで、誘導路と同じ対称面に対して左右対称で約６ｃｍ以上の幅を持つ切れ込みが有り、鍋の蓋の中央にある蓋摘みが大きいものでも切れ込みの間に位置するように蓋を立て掛ける構造である鍋の蓋立て器具が存在するが、鍋の蓋立て器具は一体化されており、流通の際、かさばってしまい、一個一個包装箱に入れるようにしないと不可能なため、場所も取り、輸送コスト、包装代が高くなるという問題があった。
そこで、本考案は、上記問題を解決するために、ステンレス鋼の線材を折り曲げてなる斜めに立てた鍋蓋の外周下端部を支える立ち上げ部を有する蓋支え部材と、脚部と、蓋摘みを逃げるように鍋蓋を支持する２個からなる間隔を有する支持部を前記蓋支え部材の立ち上げ部が無い側に若干傾けて折り曲げ形成した鍋の蓋立て具本体とから成り、前記蓋支え部材を鍋の蓋立て具本体の脚部か支持部のどちらかに摺動自在の状態で連結できるようにした鍋の蓋立て具を提供することを目的としている。
【課題を解決するための手段】
【０００４】
上記課題を解決するための本考案の第１考案は、請求項１に記載されたとおりの鍋の蓋立て具であり、次のようなものである。
ステンレス鋼の線材を折り曲げてなる斜めに立てた鍋蓋の外周下端部を支える立ち上げ部を有する蓋支え部材と、脚部と、蓋摘みを逃げるように鍋蓋を支持する２個からなる間隔を有する支持部を前記蓋支え部材の立ち上げ部が無い側に若干傾けて折り曲げ形成した鍋の蓋立て具本体とから成り、前記蓋支え部材を鍋の蓋立て具本体の脚部か支持部のどちらかに摺動自在の状態で連結できる構成である。
【考案の効果】
【０００５】
本考案に係る鍋の蓋立て具は、上記説明のような構成であるので、以下に記載する効果を奏する。
（１）ステンレス鋼線等の錆び難い線材で簡単に作成することができるので、安価である。
（２）簡単に摘み付蓋を確実に立て掛けられ、倒れたりすることがない。また、蓋を置かない時の形がスリムで、調理台で邪魔にならない。
（３）蓋の摘みの形状が各種存在するが、摘みの部分が自由に通る程度の間隔を有する支持部が下方まであるので、鍋蓋の外周下端部を支える蓋支え部材とで鍋蓋を支持できるので、確実に倒れないように立て掛けられる。
（４）蓋摘みを持った手で鍋の蓋立て具に支え置くことができ、蓋摘みを持って取り上げるという自然の動作で蓋を立て掛けたり、取り上げたりできる使い勝手がよいものである。
（５）蓋摘みの反対側、すなわち蓋内側が斜め上方を向くように、蓋を支持でき、蓋支え部材が摺動自在で、蓋立て具本体側に収納できるようになっているので、流通の際、並べ重ねることができ、コンパクトに収納できるので、物流コストが安価にできる。
【考案を実施するための最良の形態】
【０００６】
ステンレス鋼の線材を折り曲げてなる斜めに立てた鍋蓋の外周下端部を支える立ち上げ部を有する蓋支え部材と、脚部と、蓋摘みを逃げるように鍋蓋を支持する２個からなる間隔を有する支持部を前記蓋支え部材の立ち上げ部が無い側に若干傾けて折り曲げ形成した鍋の蓋立て具本体とから成り、前記蓋支え部材を鍋の蓋立て具本体の脚部か支持部のどちらかに摺動自在の状態で連結できるようにした鍋の蓋立て具。
【実施例】
【０００７】
本考案の基本的構造は、ステンレス鋼製等の線材を折り曲げて成る鍋の蓋立て具で、蓋摘みを下にして斜めに立て掛ける構造である。
現在、世の中に流通している鍋の蓋はほとんどが丸いため、立て掛けるには不安定である。また、蓋摘みを下にして立て掛けると、蓋を取り上げる際に摘み難い。これら鍋の蓋の形状からくる問題点、及び料理後の蓋は熱くなっているので、火傷をし易いという問題点、また鍋の蓋立て具の流通時のコンパクト化等は考慮されていなく、一個一個で一つずつの包装箱に収納しなければならず、流通コストが高くなる問題がある。
本考案は、これらの問題点を全て解決した鍋の蓋立て具である。
【０００８】
以下、図面に基づいて具体的な実施例について詳細に説明する。
図１は、本考案の一実施例による鍋の蓋立て具を模式的に示す概略斜視図、図２は、本考案の鍋の蓋立て具に蓋を立てた状態を示す斜視図、図３は、本考案の鍋の蓋立て具を並べ重ねた状態を示す概略側面図である。
図１、図２からも理解できるように、斜めに立てた鍋蓋１の外周下部が摺動して滑りを止め支える鍋蓋１のステンレス鋼等の線材で形成して形ちどることによりなる蓋支え部材２を設ける。この蓋支え部材２は、一端部を折り曲げて鍋蓋を支える支持部８の傾斜角に略平行に立ち上げ部３を形成し、該立ち上げ部３に対して他端部５は、鍋の蓋立て具本体４に、フリーの状態で移動するように、しかも鍋の蓋立て具本体４によって止まるように係合してある。
【０００９】
次に鍋の蓋立て具本体４について説明する。
ステンレス鋼等の線材で形成した水平に折り曲げて鍋蓋１を斜めに立て掛けた際、倒れない程度の大きさを有する脚部６と、蓋摘み７を案内するように鍋蓋支えを兼ねた２個の支持部８を折り曲げ、垂直方向に対して約３０度傾けて形成したものである。
なお、前記支持部８は鍋蓋の背９のカーブにならうようにカーブをつけても良い。
【００１０】
鍋の蓋立て具本体４は、２個にわかれた支持部８と脚部６から成っているが、これら各々のつなぎは、適宜の固定手段で良く、例えば溶接などの手段が考えられる。
前記蓋支え部材２の立ち上げ部３の高さは、鍋蓋１の重さ等で蓋支え部材２の立ち上げ部３を越えて倒れてしまわない程度のもの、鍋支えを兼ねた支持部８の高さは、鍋蓋１の大きさと重さ、及び蓋に取り付けられた蓋摘み７の大きさや位置に対して間隔を適宜決め、なおかつ倒れない状態で支えられるだけの大きさに設計することはいうまでもない。
また、線材の径も、一般に流通している鍋蓋１の重さに対して強度的に問題のない径を選択すればよいものである。
なお、線材に換えて板材にすることも可能である。
【００１１】
前記した蓋支え部材２は、脚部６に係合して、移動を規制して止めるようにしても、支持部８に係合して移動を規制して止められるようにするものでも、どちらでもよい。
この蓋支え部材２は、立ち上げ部３を有する必要があるので、固定されていると、その蓋支え部材２の部分が突出していることになり、流通の際、重ね並べることができず、一個一個で搬送しなければならず、流通コストが高くなるのをなくすためにフリーの状態で、図３に示すように流通の際には、並べ重ねることができる。そして、鍋蓋１を立て掛ける際は、蓋支え部材２を引き出すように移動し、蓋摘み７を支持部８の間を通すようにしながら鍋蓋１を支えるように置き、鍋の蓋立て具本体４に斜めに立て掛けるものである。
また、鍋蓋１を取り上げる時は、２個の支持部８を案内にしながら蓋摘み７を持って斜め上方にスライドさせながら取り上げることができる。
【産業上の利用可能性】
【００１２】
鍋蓋であれば、蓋摘みが色々な型のものにも用いることが可能である。
【図面の簡単な説明】
【００１３】
【図１】本考案の鍋の蓋立て具の一実施例を示す斜視図である。
【図２】本考案の鍋の蓋立て具に鍋蓋が傾斜した状態で支持されているところを示す斜視図である。
【図３】本考案の鍋の蓋立て具を並べ重ねた状態を示す概略側面図である。
【符号の説明】
【００１４】
１・・・・鍋蓋                          ２・・・・蓋支え部材
３・・・・立ち上げ部                    ４・・・・鍋の蓋立て具本体
５・・・・他端部                        ６・・・・脚部
７・・・・蓋摘み                        ８・・・・支持部
９・・・・鍋蓋の背
【図１】
0003110483.tif 000003
【図２】
0003110483.tif 000004
【図３】
0003110483.tif 000005